(57)【要約】【課題】貼付対象物に貼付された無線タグラベルの周波数特性が変化しても、最適な周波数特性に調整して信頼性の高い通信をおこなうこと。【解決手段】調整装置２００は、周波数特性測定器２１０と、切削器２２０と、装置全体を制御する制御回路２３０と、を備えている。周波数特性測定器２１０は、装置アンテナ２１１によって調整装置２００に設置された無線タグラベルＴが貼付された物品１１０の周波数特性を測定する。切削器２２０は、Ｌ調整回転軸２２２と、Ｗ調整回転軸２２３とによって移動させた切削刃２２１によって物品１１０に貼付された無線タグラベルＴのタグアンテナ１０２を切削する。【選択図】図２
2010086166.tif 000002
【特許請求の範囲】
【請求項１】
無線タグラベルにおけるタグアンテナの周波数特性を測定した結果に基づいて前記タグアンテナの前記周波数特性を調整するために前記タグアンテナを切削する切削手段を有する調整装置であって、
前記無線タグラベルとの通信に使用される電波に適合させるための前記周波数特性における目標値の入力を受け付ける入力手段と、
前記タグアンテナの前記周波数特性の特性値が、前記入力手段によって入力された目標値を満たすか否かを判定する判定手段と、
前記判定手段によって判定された結果、前記特性値が前記目標値を満たさない場合、前記切削手段によって前記タグアンテナを切削する切削制御手段と、
を備えたことを特徴とする調整装置。
【請求項２】
前記切削制御手段は、前記判定手段によって前記特性値が前記目標値を満たすと判定されるまで前記タグアンテナの切削を繰り返すことで前記周波数特性を調整可能とすることを特徴とする請求項１に記載の調整装置。
【請求項３】
前記目標値は、前記タグアンテナにおける目標の共振周波数であり、
前記判定手段は、前記特性値として前記タグアンテナの共振周波数が、前記目標の共振周波数から第1所定範囲内にあるか否かを判定し、
前記切削制御手段は、前記判定手段によって前記タグアンテナの共振周波数が、前記目標の共振周波数から前記第１所定範囲内にないと判定された場合、前記タグアンテナの長さ方向を切削することを特徴とする請求項１または２に記載の調整装置。
【請求項４】
前記目標値は、前記共振周波数の測定に用いた電波に関して、前記タグアンテナからの目標の反射量をさらに含み、
前記判定手段は、前記特性値として前記タグアンテナの反射量が、前記第１所定範囲において前記目標の反射量以下か否かを判定し、
前記切削制御手段は、前記判定手段によって前記タグアンテナの反射量が、前記目標の反射量よりも高いと判定された場合、前記タグアンテナの幅方向を切削することを特徴とする請求項３に記載の調整装置。
【請求項５】
前記特性値として、前記タグアンテナの反射量が前記目標の反射量以下となる前記タグアンテナの周波数範囲の幅が減少するまで、前記タグアンテナの切削を繰り返す制御をおこなうことを特徴とする請求項４に記載の調整装置。
【請求項６】
前記目標値は、前記タグアンテナにおける通信感度がピークとなる目標の感度ピーク周波数であり、
前記判定手段は、前記特性値として前記タグアンテナの感度ピーク周波数が、前記目標の感度ピーク周波数から第２所定範囲内にあるか否かを判定し、
前記切削制御手段は、前記判定手段によって前記タグアンテナの感度ピーク周波数が、前記目標の感度ピーク周波数から前記第２所定範囲内にないと判定された場合、前記タグアンテナの長さ方向を切削することを特徴とする請求項１または２に記載の調整装置。
【請求項７】
前記目標値は、前記タグアンテナにおける目標の通信感度をさらに含み、
前記判定手段は、前記特性値として前記タグアンテナの通信感度が、前記第２所定範囲内において前記目標の通信感度以上か否かを判定し、
前記切削制御手段は、前記判定手段によって前記第２所定範囲における通信感度が、前記目標の通信感度よりも低いと判定された場合、前記タグアンテナの幅方向を切削することを特徴とする請求項６に記載の調整装置。
【請求項８】
前記特性値として、前記タグアンテナの通信感度が前記目標の通信感度以上となる前記タグアンテナの周波数範囲の幅が減少するまで、前記タグアンテナの切削を繰り返す制御をおこなうことを特徴とする請求項７に記載の調整装置。
【請求項９】
前記無線タグラベルが管理対象となる物品に貼付された状態で前記タグアンテナの前記周波数特性の特性値を測定することを特徴とする請求項１〜８のいずれか一つに記載の調整装置。
【請求項１０】
前記切削制御手段による前記タグアンテナの厚さ方向の切削深さを検出する深度検出手段をさらに備え、
前記切削制御手段は、前記深度検出手段によって検出された前記切削深さに基づいて、前記タグアンテナを切削することを特徴とする請求項１〜９のいずれか一つに記載の調整装置。
【請求項１１】
前記タグアンテナのアンテナ形状を検出するアンテナ形状検出手段をさらに備え、
前記切削制御手段は、前記アンテナ形状検出手段によって検出されたアンテナ形状に基づいて、前記タグアンテナを切削することを特徴とする請求項１〜１０のいずれか一つに記載の調整装置。
【発明の詳細な説明】
【技術分野】
【０００１】
この発明は、無線タグラベルにおけるタグアンテナの周波数特性を調整する調整装置に関する。
【背景技術】
【０００２】
従来より、情報を記憶する無線タグ回路素子に対し、非接触で情報の送受信をおこなうＲＦＩＤ（Ｒａｄｉｏ  Ｆｒｅｑｕｅｎｃｙ  Ｉｄｅｎｔｉｆｉｃａｔｉｏｎ ）システムが知られている。一般に、無線タグ回路素子は、ラベル状の素材上に無線タグラベルとして形成され、この無線タグラベルが、たとえば、各種書類・物品の分類・整理のために対象物品などに貼り付けられることが多い。
【０００３】
一般に、タグアンテナは、無線タグ回路素子に対して情報の送受信（書込／読取）をおこなう所定の周波数に対して良好な通信特性となるように設計されている。この所定の周波数は、地域によって異なる周波数が採用されている。
【０００４】
具体的には、ＵＨＦ帯の電波を用いた通信の場合、ヨーロッパでは８７０ＭＨｚ程度、アメリカでは９１５ＭＨｚ程度、日本では９５０ＭＨｚ程度である。近年では、複数の周波数帯に応じてタグアンテナの共振周波数を調整するために、タグアンテナに剥離自在なアンテナシールを貼付する提案がされている（特許文献１）。
【特許文献１】特開２００７−２３５９２６号公報
【発明の開示】
【発明が解決しようとする課題】
【０００５】
無線タグラベルは、貼付対象物の影響によって周波数特性に影響を受ける場合がある。特に、金属（あるいは金属が周辺に存在する）の貼付対象物に貼付された場合、無線タグラベルの周波数特性は、貼付前と比較して変化してしまうことが知られている。具体的には、無線タグラベルは、タグアンテナと金属との間に容量性の結合が生じて、タグアンテナのインピーダンスが変化する。そして、無線タグラベルは、タグアンテナのインピーダンスの変化の影響により、周波数特性が変化してしまうこととなる。
【０００６】
しかしながら、上述した特許文献１に記載の従来技術では、貼付対象物に貼付した後の周波数特性のズレを調整することは考慮されていなかった。したがって、地域に応じて共振周波数を調整しても、貼付対象物の影響を受けて周波数特性が変化してしまうと、無線タグラベルとの情報の送受信が適切におこなわれなくなってしまうという問題があった。
【０００７】
この発明は、上述した問題を解消するため、貼付対象物に貼付された無線タグラベルの周波数特性が変化しても、最適な周波数特性に調整して信頼性の高い通信をおこなうことができる調整装置を提供することを目的とする。
【課題を解決するための手段】
【０００８】
上述した課題を解決し、目的を達成するため、請求項１の発明にかかる調整装置は、無線タグラベルにおけるタグアンテナの周波数特性を測定した結果に基づいて前記タグアンテナの前記周波数特性を調整するために前記タグアンテナを切削する切削手段を有する調整装置であって、前記無線タグラベルとの通信に使用される電波に適合させるための前記周波数特性における目標値の入力を受け付ける入力手段と、前記タグアンテナの前記周波数特性の特性値が、前記入力手段によって入力された目標値を満たすか否かを判定する判定手段と、前記判定手段によって判定された結果、前記特性値が前記目標値を満たさない場合、前記切削手段によって前記タグアンテナを切削する切削制御手段と、を備えたことを特徴とする。
【０００９】
請求項２の発明にかかる調整装置は、請求項１に記載の発明において、前記切削制御手段は、前記判定手段によって前記特性値が前記目標値を満たすと判定されるまで前記タグアンテナの切削を繰り返すことで前記周波数特性を調整可能とすることを特徴とする。
【００１０】
請求項３の発明にかかる調整装置は、請求項１または２に記載の発明において、前記目標値は、前記タグアンテナにおける目標の共振周波数であり、前記判定手段は、前記特性値として前記タグアンテナの共振周波数が、前記目標の共振周波数から第1所定範囲内にあるか否かを判定し、前記切削制御手段は、前記判定手段によって前記タグアンテナの共振周波数が、前記目標の共振周波数から前記第１所定範囲内にないと判定された場合、前記タグアンテナの長さ方向を切削することを特徴とする。
【００１１】
請求項４の発明にかかる調整装置は、請求項３に記載の発明において、前記目標値は、前記共振周波数の測定に用いた電波に関して、前記タグアンテナの目標の反射量をさらに含み、前記判定手段は、前記特性値として前記タグアンテナの反射量が、前記第１所定範囲において前記目標の反射量以下か否かを判定し、前記切削制御手段は、前記判定手段によって前記タグアンテナの反射量が、前記目標の反射量よりも高いと判定された場合、前記タグアンテナの幅方向を切削することを特徴とする。
【００１２】
請求項５の発明にかかる調整装置は、請求項３に記載の発明において、前記特性値として、前記タグアンテナの前記反射量が前記目標の反射量以下となる前記タグアンテナの周波数範囲の幅が減少するまで、前記タグアンテナの切削を繰り返す制御をおこなうことを特徴とする。
【００１３】
請求項６の発明にかかる調整装置は、請求項１または２に記載の発明において、前記目標値は、前記タグアンテナにおける通信感度がピークとなる目標の感度ピーク周波数であり、前記判定手段は、前記特性値として前記タグアンテナの感度ピーク周波数が、前記目標の感度ピーク周波数から第２所定範囲内にあるか否かを判定し、前記切削制御手段は、前記判定手段によって前記タグアンテナの感度ピーク周波数が、前記目標の感度ピーク周波数から前記第２所定範囲内にないと判定された場合、前記タグアンテナの長さ方向を切削することを特徴とする。
【００１４】
請求項７の発明にかかる調整装置は、請求項６に記載の発明において、前記目標値は、前記タグアンテナにおける目標の通信感度をさらに含み、前記判定手段は、前記特性値として前記タグアンテナの通信感度が、前記第２所定範囲内において前記目標の通信感度以上か否かを判定し、前記切削制御手段は、前記判定手段によって前記第２所定範囲における通信感度が、前記目標の通信感度よりも低いと判定された場合、前記タグアンテナの幅方向を切削することを特徴とする。
【００１５】
請求項８の発明にかかる調整装置は、請求項１〜８のいずれか一つに記載の発明において、前記特性値として、前記タグアンテナの通信感度が前記目標の通信感度以上となる前記タグアンテナの周波数範囲の幅が減少するまで、前記タグアンテナの切削を繰り返す制御をおこなうことを特徴とする。
【００１６】
請求項９の発明にかかる調整装置は、請求項１〜８のいずれか一つに記載の発明において、前記無線タグラベルが管理対象となる物品に貼付された状態で前記タグアンテナの前記周波数特性の特性値を測定することを特徴とする。
【００１７】
請求項１０の発明にかかる調整装置は、請求項１〜９のいずれか一つに記載の発明において、前記切削制御手段による前記タグアンテナの厚さ方向の切削深さを検出する深度検出手段をさらに備え、前記切削制御手段は、前記深度検出手段によって検出された前記切削深さに基づいて、前記タグアンテナを切削することを特徴とする。
【００１８】
請求項１１の発明にかかる調整装置は、請求項１〜１０のいずれか一つに記載の発明において、前記タグアンテナのアンテナ形状を検出するアンテナ形状検出手段をさらに備え、前記切削制御手段は、前記アンテナ形状検出手段によって検出されたアンテナ形状に基づいて、前記タグアンテナを切削することを特徴とする。
【発明の効果】
【００１９】
請求項１にかかる発明によれば、タグアンテナを切削して周波数特性を調整することで、無線タグラベルの通信の信頼性を向上させることができる。
【００２０】
請求項２にかかる発明によれば、周波数特性の特性値が目標値を満たすまでタグアンテナを切削し、周波数特性を調整することができるため、確実に目標値を満たす周波数特性を達成することができる。
【００２１】
請求項３にかかる発明によれば、タグアンテナの長さ方向を切削することで共振周波数を調整することができる。
【００２２】
請求項４にかかる発明によれば、タグアンテナの幅方向を切削することで共振周波数の測定における反射量を調整することができる。
【００２３】
請求項５にかかる発明によれば、目標値を満たす周波数の幅をより広くするように周波数特性を調整することができる。
【００２４】
請求項６にかかる発明によれば、タグアンテナの長さ方向を切削することでタグアンテナの感度がピークとなる感度ピーク周波数を調整することができる。
【００２５】
請求項７にかかる発明によれば、タグアンテナの幅方向を切削することで感度ピーク周波数における通信感度を調整することができる。
【００２６】
請求項８にかかる発明によれば、目標値を満たす周波数の幅をより広くするように周波数特性を調整することができる。
【００２７】
請求項９にかかる発明によれば、管理対象に貼付されて、タグアンテナの周波数特性がずれた後でも、適切な周波数特性に調整することができる。
【００２８】
請求項１０にかかる発明によれば、タグアンテナの削りすぎを防止して、適切にタグアンテナを切削することができる。
【００２９】
請求項１１にかかる発明によれば、アンテナ形状に応じて、適切にタグアンテナを切削して周波数特性を調整することができる。
【００３０】
以上説明したように、本発明にかかる調整装置によれば、貼付対象物に貼付された無線タグラベルの周波数特性が変化しても、最適な周波数特性に調整して信頼性の高い通信をおこなうことができるという効果を奏する。
【発明を実施するための最良の形態】
【００３１】
以下に添付図面を参照して、この発明にかかる無線タグラベルの好適な実施の形態を詳細に説明する。
【００３２】
（実施形態１）
（無線タグラベルの概要）
図１を用いて、本発明にかかる無線タグラベルについて説明する。図１は、本発明の実施形態１にかかる無線タグラベルの一例を示す平面図である。
【００３３】
図１において、無線タグラベルＴは、情報を記憶するＩＣ回路部１０１と、このＩＣ回路部１０１に接続されたタグアンテナ１０２とを備えた無線タグ回路素子Ｔｏを有している。この無線タグラベルＴは、貼付対象の物品１１０に貼付される。物品１１０は、たとえば、ＰＣ（パーソナルコンピュータ）など内部に金属を有しており無線タグラベルＴの周波数特性に影響を与える。そして、利用者は、図示しない無線タグ通信装置などの外部機器によってＩＣ回路部１０１から情報を読み取ることで、無線タグラベルＴが貼付された物品の管理をおこなう。
【００３４】
具体的には、ＩＣ回路部１０１は、無線タグラベルＴのタグＩＤ（識別情報）などの情報を記憶する。また、ＩＣ回路部１０１は、タグアンテナ１０２で受信した電波を情報信号で変調して反射することで情報を返信する。
【００３５】
タグアンテナ１０２は、図示しない無線タグ通信装置などの外部機器から出力される質問信号を受信する。また、タグアンテナ１０２は、ＩＣ回路部１０１によって変調された応答信号を図示しない無線タグ通信装置などの外部機器へ送信する。
【００３６】
（調整装置の概要）
図２を用いて、本発明の実施形態１にかかる調整装置の概要について説明する。図２は、本発明の実施形態１にかかる調整装置の概要を示す説明図である。図２において、調整装置２００は、周波数特性測定器２１０と、切削器２２０と、装置全体を制御する制御回路２３０と、を備えている。
【００３７】
周波数特性測定器２１０は、調整装置２００に設置された無線タグラベルＴが貼付された物品１１０の周波数特性を測定する装置アンテナ２１１を備えている。切削器２２０は、物品１１０に貼付された無線タグラベルＴのタグアンテナ１０２を切削する切削刃２２１と、切削刃２２１を移動させるＬ調整回転軸２２２と、Ｗ調整回転軸２２３と、を備えている。Ｌ調整回転軸２２２は、切削刃２２１をＬ方向（図２中の左右方向）に移動させ、Ｗ調整回転軸２２３は、切削刃２２１をＷ方向（図２中の紙面前後方向）に移動させる。なお、本実施形態１では、説明の簡単のため、Ｌ方向を無線タグラベルＴの長手方向、Ｗ方向を無線タグラベルＴの幅方向として説明するが、これに限ることはない。
【００３８】
ここで、調整装置２００の機能的構成について説明する。調整装置２００は、図示しない入力部から、無線タグラベルＴとの通信に使用される電波に適合させるための周波数特性における目標値の入力を受け付ける。入力部は、たとえば、調整装置２００に備えられたキーボードやタッチパネルでもよいし、外部機器から入力を受け付けることとしてもよい。具体的には、周波数特性の目標値は、タグアンテナにおける目標の通信感度や通信感度のｐｅａｋ位置となる周波数などである。
【００３９】
周波数特性測定器２１０は、調整装置２００に設置された物品１１０の無線タグラベルＴにおけるタグアンテナ２０１の周波数特性の特性値を測定する。具体的には、周波数特性測定器２１０は、装置アンテナ２１１によって、タグアンテナ１０２への送信信号強度およびタグアンテナ１０２からの受信信号強度から各周波数におけるタグアンテナ感度を測定する。また、詳細は図５を用いて説明するが、周波数特性測定器２１０は、特性値として、タグアンテナ１０２の通信感度が目標の通信感度以上となるタグアンテナ１０２の周波数範囲の幅を測定することとしてもよい。
【００４０】
なお、周波数特性測定器２１０によるタグアンテナ１０２の周波数特性の測定位置は、図示しないカメラによる画像認識や接触センサによるタグアンテナ１０２の検出などに基づいて設定してもよい。具体的には、たとえば、周波数特性測定器２１０は、検出されたタグアンテナ１０２の形状や位置に応じて、周波数特性の測定に適した位置（たとえば、装置アンテナ２１１の中心と、タグアンテナ１０２の中心とが対向する位置）に装置アンテナ２１１を移動させて、周波数特性を測定する。このようにすることで、タグアンテナ１０２の周波数特性をより正確に測定することができる。
【００４１】
制御回路２３０は、いわゆるマイクロコンピュータであり、詳細な図示は省略するが、ＣＰＵ（セントラルプロセッシングユニット）、ＲＯＭ（リードオンリーメモリ）およびＲＡＭ（ランダムアクセスメモリ）などから構成され、ＲＡＭの一次記憶機能を利用してＲＯＭに予め記憶されている各種プログラムを起動させる構成である。
【００４２】
この制御回路２３０によって、周波数特性測定器２１０によって測定された特性値が、入力部によって入力された目標値を満たすか否かを判定する。具体的には、特性値としてタグアンテナ１０２の通信感度がｐｅａｋ位置の周波数（以下、「感度ｐｅａｋ位置」ともいう）が、目標の周波数から所定範囲内（第２所定範囲内）にあるか否かを判定したり、特性値としてのタグアンテナ１０２の感度ｐｅａｋ位置における通信感度が、目標の通信感度以上か否かを判定したりする。制御回路２３０は、特性値と、目標値とによる判定結果に基づいて切削器２２０に切削制御信号を出力してその動作を制御する。
【００４３】
切削器２２０は、制御部２３０から出力された切削制御信号に基づいて、無線タグラベルＴにおけるタグアンテナ１０２の切削をおこなう。具体的には、切削器２２０は、制御回路２３０によって、特性値が目標値を満たすまで切削刃２２１によるタグアンテナ１０２の切削を繰り返す構成である。
【００４４】
ここで、図３〜図５を用いて、本発明の実施形態１にかかるタグアンテナ１０２の切削について説明する。図３は、本発明の実施形態１にかかるタグアンテナの切削について示す説明図である。
【００４５】
図３において、タグアンテナ１０２は、切削器２２０によって無線タグラベルＴの長手方向Ｌと、幅方向Ｗと、が切削される。具体的には、切削器２２０は、制御回路２３０の制御に従って、Ｌ調整回転軸２２２を回転させて長手方向Ｌの切削をおこない、Ｗ調整回転軸２２３を回転させて幅方向Ｗの切削をおこなう。なお、図３の説明では、簡単のため無線タグラベルＴにおけるタグアンテナ１０２の一端側を図示して説明したが、片端、両端のいずれも切削可能である。
【００４６】
図４は、本発明の実施形態１にかかるタグアンテナの長手方向Ｌの切削による周波数特性の変化の概要を示す説明図である。図４において、グラフ４００は、横軸にタグアンテナ１０２の周波数、縦軸にタグアンテナ１０２の通信感度を示している。
【００４７】
グラフ４００における点線４０１は、物品１１０に貼付した際のタグアンテナ１０２の周波数と、通信感度との関係を示しており、その感度ｐｅａｋ位置の周波数はｆ１である。タグアンテナ１０２は、長手方向Ｌを切削するとリアクタンスが減少して周波数が高くなる。具体的には、たとえば、グラフ４００における実線４０２に示すような周波数と、通信感度との関係を示すこととなり、その感度ｐｅａｋ位置の周波数はｆ０である。
【００４８】
無線タグラベルＴを金属などに貼付すると、タグアンテナ１０２の感度ｐｅａｋ位置の周波数は低いほうへシフトする。本発明の実施形態１では、タグアンテナ１０２を長手方向Ｌに切削するとタグアンテナ１０２の感度ｐｅａｋ位置の周波数が高くなることを利用してタグアンテナ１０２を調整する構成としている。
【００４９】
図５は、本発明の実施形態１にかかるタグアンテナの幅方向Ｗの切削による周波数特性の変化の概要を示す説明図である。図５において、グラフ５００は、横軸にタグアンテナ１０２の周波数、縦軸にタグアンテナ１０２の通信感度を示している。
【００５０】
グラフ５００における点線５０１は、物品１１０に貼付した際のタグアンテナ１０２の周波数と、通信感度との関係を示しており、その感度ｐｅａｋ位置の周波数はｆ０である。タグアンテナ１０２は、幅方向Ｗを切削すると帯域が狭くなり（ピークが鋭くなり）通信感度が高くなる。具体的には、たとえば、グラフ５００における実線５０２，５０３に示すような周波数と、通信感度との関係を示すこととなり、その感度ｐｅａｋ位置の周波数はｆ０である。
【００５１】
実線５０３は、実線５０２のタグアンテナ１０２の幅方向Ｗをさらに切削した場合の周波数と、通信感度との関係を示している。図示のように、幅方向Ｗを大きく切削するのに伴って帯域が狭くなり通信感度が高くなっている。通信感度ｓ２は、本実施形態１における目標の通信感度である。実線５０２，５０３はそれぞれ通信感度ｓ２を満たしているが、その通信感度ｓ２を満たす周波数範囲Ｒは、実線５０２の方が大きい。
【００５２】
すなわち、切削器２２０によって幅方向Ｗを切削して通信感度をあげた場合、目標となる通信感度ｓ２を満たす周波数範囲Ｒは徐々に増加して、所定の段階で減少することとなる。切削器２２０は、タグアンテナ１０２の周波数範囲Ｒの幅が減少するまで、タグアンテナ１０２の切削を繰り返して、目標となる通信感度ｓ２を満たす周波数範囲Ｒが広くなるようにタグアンテナ１０２を切削する。
【００５３】
無線タグラベルＴを金属などに貼付すると、タグアンテナ１０２の通信感度が低くなり、その周波数帯域が広がる。本発明の実施形態１では、タグアンテナ１０２を幅方向Ｗに切削するとタグアンテナ１０２の帯域が狭くなって通信感度が高くなることを利用してタグアンテナ１０２を調整する構成としている。
【００５４】
図２に戻って、すなわち切削器２２０は、制御部２３０によってタグアンテナ１０２の感度ｐｅａｋ位置の周波数が、目標の周波数から所定範囲内にないと判定された場合、タグアンテナ１０２の長さ方向を切削する。また、切削器２２０は、制御部２３０によってタグアンテナ１０２の感度ｐｅａｋ位置の周波数から所定範囲における通信感度が、目標の通信感度よりも低いと判定された場合、タグアンテナ１０２の幅方向を切削する。また、図５に示したように、切削器２２０は、タグアンテナ１０２の通信感度が目標の通信感度以上となるタグアンテナ１０２の周波数範囲Ｒの幅が減少するまで、タグアンテナの切削をおこなうこととしてもよい。
【００５５】
また、特に図示はしないが、切削器２２０は、タグアンテナ１０２に対する切削刃２２１の押し当て具合を制御するために、タグアンテナ１０２の厚さ方向の切削深さを検出する検出機構を備える。この検出機構によって、切削刃２２１のタグアンテナ１０２の切削深度を制限したり、深度方向の負荷を制御したりすることができる。この検出機構は、本発明にかかる深度検出手段の機能を実現する。
【００５６】
なお、切削器２２０による切削位置は、図示しないカメラなどの画像認識、接触センサなどによってアンテナ形状を把握しておこなう。具体的には、たとえば、切削器２２０は、カメラや接触センサによって検出されたタグアンテナ１０２の形状に応じて、タグアンテナ１０２の端部から切削位置を設定する。より具体的には、切削器２２０は、検出されたタグアンテナ１０２の形状から、タグアンテナ１０２の端部から切削するようＬ調整回転軸２２２と、Ｗ調整回転軸２２３と、を駆動させる。このようにすることで、タグアンテナ１０２を正確に切削することができる。このカメラや接触センサによって、本発明にかかるアンテナ形状検出手段の機能を実現する。
【００５７】
なお、各構成要素と、各機能とを対応付けて説明すると、図２に示した切削器２２０が本発明にかかる切削手段の機能を実現し、制御回路２３０が切削器２２０を制御することによって、本発明にかかる切削制御手段の機能を実現する。入力部が本発明にかかる入力手段の機能を実現する。制御回路２３０の処理によって、本発明にかかる判定手段を実現する。
【００５８】
（調整装置２００の処理の内容）
図６を用いて、本発明の実施形態１にかかる調整装置２００の処理の内容について説明する。図６は、本発明の実施形態１にかかる調整装置の処理の内容を示すフローチャートである。
【００５９】
図６のフローチャートにおいて、まず、制御回路２３０は、利用者によって調整装置２００の電源がＯＮにされるのを待って、ＯＮとなった場合（ステップＳ６０１：Ｙｅｓ）は、入力部によって、無線タグラベルＴとの通信に使用される電波に適合させるための周波数特性における目標値の入力を受け付ける（ステップＳ６０２）。
【００６０】
制御回路２３０は、カメラや接触センサを制御して、タグアンテナ１０２の位置・形状を検出する（ステップＳ６０３）。そして、制御回路２３０は、周波数特性測定器２１０を制御して、ステップＳ６０３において検出されたタグアンテナの位置・形状に応じて周波数特性の特性値を測定する（ステップＳ６０４）。
【００６１】
制御回路２３０は、ステップＳ６０４において測定された特性値における感度ｐｅａｋ位置が、ステップＳ６０２において入力された周波数の目標値よりも低いか否かを判断する（ステップＳ６０５）。具体的には、制御回路２３０は、特性値としてのタグアンテナ１０２の感度ｐｅａｋ位置の周波数が、目標値の感度ｐｅａｋ位置の周波数から所定範囲内にあるか否かを判定する。
【００６２】
ステップＳ６０５において、感度ｐｅａｋ位置が周波数の目標値よりも低い場合（ステップＳ６０５：Ｙｅｓ）は、制御回路２３０は、切削器２２０を制御してタグアンテナ１０２の長手方向Ｌを切削する（ステップＳ６０６）。
【００６３】
そして、制御回路２３０は、周波数特性測定器２１０を制御して、ステップＳ６０６において長手方向Ｌが切削されたタグアンテナ１０２の周波数特性の特性値を測定する（ステップＳ６０７）。
【００６４】
制御回路２３０は、ステップＳ６０７において測定された特性値における感度ｐｅａｋ位置が、ステップＳ６０２において入力された周波数の目標値に近づいたか否かを判断する（ステップＳ６０８）。換言すれば、制御回路２３０は、ステップＳ６０６の切削によって、特性値としてのタグアンテナ１０２の感度ｐｅａｋ位置の周波数が、目標値の感度ｐｅａｋ位置の周波数に近い値となったか否かを判断する。
【００６５】
ステップＳ６０８において、感度ｐｅａｋ位置が目標値に近づいた場合（ステップＳ６０８：Ｙｅｓ）は、ステップＳ６０５へ戻って処理を繰り返す。また、ステップＳ６０８において、感度ｐｅａｋ位置が目標値に近づいていない場合（ステップＳ６０８：Ｎｏ）は、これ以上切削しても目標値に近づかないこととして、そのまま一連の処理を終了する。
【００６６】
ステップＳ６０５において、感度ｐｅａｋ位置が周波数の目標値以上である場合（ステップＳ６０５：Ｎｏ）は、制御回路２３０は、周波数の目標値の範囲で通信感度の目標値を満足した部分がないか否かを判断する（ステップＳ６０９）。具体的には、たとえば、制御回路２３０は、タグアンテナ１０２に特性値のうち、周波数の目標値から所定範囲内において、目標の通信感度以上になった部分がないか否かを判断する。
【００６７】
ステップＳ６０９において、周波数の目標値の範囲で通信感度の目標値を満足した部分がない場合（ステップＳ６０９：Ｙｅｓ）は、制御回路２３０は、切削器２２０を制御してタグアンテナ１０２の幅方向Ｗを切削する（ステップＳ６１０）。
【００６８】
そして、制御回路２３０は、周波数特性測定器２１０を制御して、ステップＳ６１０において幅方向Ｗが切削されたタグアンテナ１０２の周波数特性の特性値を測定する（ステップＳ６１１）。
【００６９】
制御回路２３０は、ステップＳ６１１において測定された特性値における感度ｐｅａｋ位置で、通信感度が向上したか否かを判断し（ステップＳ６１２）、通信感度が向上した場合（ステップＳ６１２：Ｙｅｓ）は、ステップＳ６０５に戻って処理を繰り返す。また、ステップＳ６１２において、通信感度が向上しない場合（ステップＳ６１２：Ｎｏ）は、これ以上切削しても通信感度は向上しないこととして、そのまま一連の処理を終了する。
【００７０】
ステップＳ６０９において、周波数の目標値の範囲で通信感度の目標値を満足した部分がある場合（ステップＳ６０９：Ｎｏ）は、制御回路２３０は、切削器２２０を制御してタグアンテナ１０２の幅方向Ｗを切削する（ステップＳ６１３）。
【００７１】
そして、制御回路２３０は、周波数特性測定器２１０を制御して、ステップＳ６１３において幅方向Ｗが切削されたタグアンテナ１０２の周波数特性の特性値を測定する（ステップＳ６１４）。
【００７２】
制御回路２３０は、ステップＳ６１４において特性値として測定された、タグアンテナ１０２の通信感度が目標の通信感度以上となるタグアンテナ１０２の周波数範囲について減少したか否かを判断する（ステップＳ６１５）。
【００７３】
ステップＳ６１５において、通信感度が目標の通信感度以上となるタグアンテナ１０２の周波数範囲が減少した場合（ステップＳ６１５：Ｙｅｓ）は、これ以上切削しても目標の通信感度以上となる周波数範囲は増加しないこととして、そのまま一連の処理を終了する。
【００７４】
ステップＳ６１５において、通信感度が目標の通信感度以上となるタグアンテナ１０２の周波数範囲が減少しなかった場合（ステップＳ６１５：Ｎｏ）は、つづいて、制御回路２３０は、通信感度が目標の通信感度以上となるタグアンテナ１０２の周波数範囲に変化がなかったか否かを判断する（ステップＳ６１６）。
【００７５】
ステップＳ６１６において、通信感度が目標の通信感度以上となるタグアンテナ１０２の周波数範囲に変化がなかった場合（ステップＳ６１６：Ｙｅｓ）は、ステップＳ６１２に戻って処理を繰り返す。換言すれば、通信感度が目標の通信感度以上となるタグアンテナ１０２の周波数範囲に変化がなかったため、制御回路２３０は、目標の通信感度以上となるタグアンテナ１０２の周波数範囲内でより通信感度を高めるように処理を繰り返すこととなる。
【００７６】
ステップＳ６１６において、通信感度が目標の通信感度以上となるタグアンテナ１０２の周波数範囲に変化があった場合（ステップＳ６１６：Ｎｏ）は、すなわち、通信感度が目標の通信感度以上となるタグアンテナ１０２の周波数範囲が増加しているため、ステップＳ６１３へ戻って処理を繰り返す。換言すれば、目標の通信感度以上となるタグアンテナ１０２の周波数範囲を広げるために処理を繰り返すこととなる。
【００７７】
なお、本発明の各構成要素における処理と、本発明の実施形態１の各処理または各機能とを関連付けて説明すると、図６のフローチャートで説明したステップＳ６０２における入力部の処理によって、本発明にかかる入力手段の処理が実行される。また、ステップＳ６０５、ステップＳ６０８、ステップＳ６０９、ステップＳ６１２、ステップＳ６１５およびステップＳ６１６における制御回路２３０の処理によって、本発明にかかる判定手段の処理が実行される。また、ステップＳ６０６、ステップＳ６１０およびステップＳ６１３における制御回路２３０および切削器２２０の処理によって、本発明にかかる切削制御手段の処理が実行される。
【００７８】
以上説明したように、本発明の実施形態１にかかる調整装置は、感度ｐｅａｋ位置が目標値よりも低い場合に、タグアンテナの長手方向Ｌを切削して目標値に近づけることができる。さらに調整装置は、通信感度を向上させるためにタグアンテナの幅方向Ｗを切削して通信感度を向上させることができる。
【００７９】
このような構成とすることで、本発明の実施形態１にかかる調整装置によれば、無線タグラベルのタグアンテナについて最適な周波数特性となるように調整できるため、信頼性の高い通信をおこなうことができる。また、本発明の実施形態１にかかる調整装置は、通信感度が目標値以上となる周波数の範囲をより広く調整し、タグアンテナの周波数特性の最適化を図ることができる。
【００８０】
また、本発明の実施形態１にかかる調整装置によれば、物品に貼付してからタグアンテナを切削して周波数特性を調整することができるため、貼付対象の物品の特性に柔軟に対応して、タグアンテナの周波数特性を適切に調整して、信頼性の高い通信をおこなうことができる。
【００８１】
（その他の一部の変形例）
本発明の実施形態１では特に、物品に貼付してタグアンテナを切削する場合について説明したがこれに限ることはない。具体的には、物品に貼付する前の無線タグラベルのみであっても、タグアンテナを切削できるようにしてもよい。
【００８２】
また、本発明の実施形態１では特に、切削器によって切削刃を駆動させてタグアンテナを切削したがこれに限ることはない。具体的には、物品を設置する架台を可動式にして切削刃を固定するようにしてもよい。また、本発明の実施形態１では特に、周波数特性測定器によってタグアンテナの位置に装置アンテナを合わせて周波数特性の測定をおこなったがこれに限ることは内。具体的には、物品を設置する架台を可動式にして、タグアンテナと装置アンテナとの位置が適切な位置関係（たとえば、中心同士が対向する位置）になるようにしてもよい。このように、本発明の実施形態１は、タグアンテナの位置や形状を検出して、切削刃の位置や装置アンテナの位置を合わせる構成としたがこれに限ることはない。具体的には、たとえば、物品に貼付された無線タグラベルが所定の位置に固定設置される架台を用いることとしてもよい。
【００８３】
ステップＳ６０１において目標値の入力を受け付けてから、ステップＳ６０２、Ｓ６０３においてタグアンテナの特性値を測定したがこれに限ることはない。具体的には、タグアンテナの特性値を測定している最中や、特性値の測定後に目標値の入力を受け付ける構成でもよい。
【００８４】
（実施形態２）
つぎに、本発明の実施形態２について説明する。本発明の実施形態２では、前述の実施形態１において測定したタグアンテナの周波数特性の特性値について、通信感度の代わりにタグアンテナの共振周波数および反射量を用いる場合について説明する。なお、無線タグラベルの概要および調整装置の概要については、図１、図２とほぼ同様であるため、特に相違のある点のみ説明する。
【００８５】
本発明の実施形態２にかかる調整装置２００における不図示の入力部は、無線タグラベルＴとの通信に使用される電波に適合させるための周波数特性における目標値の入力を受け付ける。入力部は、たとえば、調整装置２００に備えられたキーボードやタッチパネルでもよいし、外部機器から入力を受け付けることとしてもよい。具体的には、周波数特性の目標値は、タグアンテナにおける共振周波数や共振周波数の測定に用いた電波のタグアンテナ１０２からの反射量などである。
【００８６】
周波数特性測定器２１０は、調整装置２００に設置された物品１１０の無線タグラベルＴにおけるタグアンテナ２０１の周波数特性の特性値を測定する。具体的には、周波数特性測定器２１０は、装置アンテナ２１１によって、タグアンテナ１０２に電波を出力し、タグアンテナ１０２からの各周波数における電波の反射量を測定することで、タグアンテナ１０２の共振周波数を測定する。また、詳細は図８を用いて説明するが、周波数特性測定器２１０は、特性値として、タグアンテナ１０２の反射量が目標の反射量以下となるタグアンテナ１０２の周波数範囲の幅を測定することとしてもよい。
【００８７】
制御回路２３０は、周波数特性測定器２１０によって測定された特性値が、入力部によって入力された目標値を満たすか否かを判定する。具体的には、特性値としてタグアンテナ１０２の共振周波数が、目標の共振周波数から所定範囲内（第１所定範囲内）にあるか否かを判定したり、特性値としてのタグアンテナ１０２の所定範囲内におけるタグアンテナ１０２の反射量が、目標の反射量以下か否かを判定したりする。制御回路２３０は、特性値と、目標値とによる判定結果に基づいて切削器２２０に切削制御信号を出力してその動作を制御する。
【００８８】
ここで、図７、図８を用いて、本発明の実施形態２にかかるタグアンテナ１０２の切削について説明する。図７は、本発明の実施形態２にかかるタグアンテナの長手方向Ｌの切削による周波数特性の変化の概要を示す説明図である。図７において、グラフ７００は、横軸にタグアンテナ１０２に対して出力する電波の周波数、縦軸にタグアンテナ１０２の反射量を示している。
【００８９】
グラフ７００における点線７０１は、物品１１０に貼付した際のタグアンテナ１０２に対して出力する電波の周波数と、反射量との関係を示しており、そのピークである共振周波数はｆ３である。タグアンテナ１０２は、長手方向Ｌを切削するとリアクタンスが減少して共振周波数が高くなる。具体的には、たとえば、グラフ７００における実線７０２に示すような周波数と、反射量との関係を示すこととなり、その共振周波数はｆ２である。
【００９０】
無線タグラベルＴを金属などに貼付すると、タグアンテナ１０２の共振周波数は低いほうへシフトする。本発明の実施形態２では、タグアンテナ１０２を長手方向Ｌに切削するとタグアンテナ１０２の共振周波数が高くなることを利用してタグアンテナ１０２を調整する構成としている。
【００９１】
図８は、本発明の実施形態２にかかるタグアンテナの幅方向Ｗの切削による周波数特性の変化の概要を示す説明図である。図８において、グラフ８００は、横軸にタグアンテナ１０２に対して出力する電波の周波数、縦軸にタグアンテナ１０２の反射量を示している。
【００９２】
グラフ８００における点線８０１は、物品１１０に貼付した際のタグアンテナ１０２に対して出力する電波の周波数と、反射量との関係を示しており、その共振周波数はｆ２である。タグアンテナ１０２は、幅方向Ｗを切削すると帯域が狭くなり（ピークが鋭くなり）反射量が低くなる。具体的には、たとえば、グラフ８００における実線８０２，８０３に示すような周波数と、反射量との関係を示すこととなり、その共振周波数はｆ２である。
【００９３】
実線８０３は、実線８０２のタグアンテナ１０２の幅方向Ｗをさらに切削した場合の周波数と、反射量との関係を示している。図示のように、幅方向Ｗを大きく切削するのに伴って帯域が狭くなり反射量が低くなっている。反射量ｓ４は、本実施形態２における目標の反射量である。実線８０２，８０３はそれぞれ通信感度ｓ４を満たしているが、その反射量ｓ４を満たす周波数範囲Ｒは、実線８０２の方が大きい。
【００９４】
すなわち、切削器２２０によって幅方向Ｗを切削して反射量をさげた場合、目標となる反射量ｓ４を満たす周波数範囲Ｒは徐々に増加して、所定の段階で減少することとなる。切削器２２０は、タグアンテナ１０２の周波数範囲Ｒの幅が減少するまで、タグアンテナ１０２の切削を繰り返して、目標となる反射量ｓ４を満たす周波数範囲Ｒが広くなるようにタグアンテナ１０２を切削する。
【００９５】
無線タグラベルＴを金属などに貼付すると、タグアンテナ１０２の反射量が高くなり、その周波数帯域が広がる。本発明の実施形態２では、タグアンテナ１０２を幅方向Ｗに切削するとタグアンテナ１０２の帯域が狭くなって反射量が低くなることを利用してタグアンテナ１０２を調整する構成としている。
【００９６】
すなわち切削器２２０は、制御部２３０によってタグアンテナ１０２の共振周波数が、目標の共振周波数から所定範囲内にないと判定された場合、タグアンテナ１０２の長さ方向を切削する。また、切削器２２０は、タグアンテナ１０２の共振周波数から所定範囲における反射量が、目標の反射量よりも高いと判定された場合、タグアンテナ１０２の幅方向を切削する。また、図８に示したように、切削器２２０は、タグアンテナ１０２の反射量が目標の反射量以下となるタグアンテナ１０２の周波数範囲の幅が減少するまで、タグアンテナの切削をおこなうこととしてもよい。
【００９７】
（調整装置２００の処理の内容）
図９を用いて、本発明の実施形態２にかかる調整装置２００の処理の内容について説明する。図９は、本発明の実施形態２にかかる調整装置の処理の内容を示すフローチャートである。
【００９８】
図９のフローチャートにおいて、まず、制御回路２３０は、利用者によって調整装置２００の電源がＯＮにされるのを待って、ＯＮとなった場合（ステップＳ９０１：Ｙｅｓ）は、入力部によって、無線タグラベルＴとの通信に使用される電波に適合させるための周波数特性における目標値の入力を受け付ける（ステップＳ９０２）。
【００９９】
制御回路２３０は、カメラや接触センサを制御して、タグアンテナ１０２の位置・形状を検出する（ステップＳ９０３）。そして、制御回路２３０は、周波数特性測定器２１０を制御して、ステップＳ９０３において検出されたタグアンテナの位置・形状に応じて周波数特性の特性値を測定する（ステップＳ９０４）。
【０１００】
制御回路２３０は、ステップＳ９０４において測定された特性値における共振周波数が、ステップＳ９０２において入力された共振周波数の目標値よりも低いか否かを判断する（ステップＳ９０５）。具体的には、制御回路２３０は、特性値としてのタグアンテナ１０２の共振周波数が、目標値の共振周波数から所定範囲内にあるか否かを判定する。
【０１０１】
ステップＳ９０５において、共振周波数の目標値よりも低い場合（ステップＳ９０５：Ｙｅｓ）は、制御回路２３０は、切削器２２０を制御してタグアンテナ１０２の長手方向Ｌを切削する（ステップＳ９０６）。
【０１０２】
そして、制御回路２３０は、周波数特性測定器２１０を制御して、ステップＳ９０６において長手方向Ｌが切削されたタグアンテナ１０２の周波数特性の特性値を測定する（ステップＳ９０７）。
【０１０３】
制御回路２３０は、ステップＳ９０７において測定された特性値における共振周波数が、ステップＳ９０２において入力された周波数の目標値に近づいたか否かを判断する（ステップＳ９０８）。換言すれば、制御回路２３０は、ステップＳ９０６の切削によって、特性値としてのタグアンテナ１０２の共振周波数が、目標値の共振周波数に近い値となったか否かを判断する。
【０１０４】
ステップＳ９０８において、共振周波数が目標値に近づいた場合（ステップＳ９０８：Ｙｅｓ）は、ステップＳ９０５へ戻って処理を繰り返す。また、ステップＳ９０８において、共振周波数が目標値に近づいていない場合（ステップＳ９０８：Ｎｏ）は、これ以上切削しても目標値に近づかないこととして、そのまま一連の処理を終了する。
【０１０５】
ステップＳ９０５において、共振周波数の目標値以上である場合（ステップＳ９０５：Ｎｏ）は、制御回路２３０は、共振周波数の目標値の範囲で反射量の目標値を満足した部分がないか否かを判断する（ステップＳ９０９）。具体的には、たとえば、制御回路２３０は、タグアンテナ１０２に特性値のうち、共振周波数の目標値から所定範囲内において、目標の反射量以下になった部分がないか否かを判断する。
【０１０６】
ステップＳ９０９において、共振周波数の目標値の範囲で反射量の目標値を満足した部分がない場合（ステップＳ９０９：Ｙｅｓ）は、制御回路２３０は、切削器２２０を制御してタグアンテナ１０２の幅方向Ｗを切削する（ステップＳ９１０）。
【０１０７】
そして、制御回路２３０は、周波数特性測定器２１０を制御して、ステップＳ９１０において幅方向Ｗが切削されたタグアンテナ１０２の周波数特性の特性値を測定する（ステップＳ９１１）。
【０１０８】
制御回路２３０は、ステップＳ９１１において測定された特性値における共振周波数における反射量が減少したか否かを判断し（ステップＳ９１２）、反射量が減少した場合（ステップＳ９１２：Ｙｅｓ）は、ステップＳ９０５に戻って処理を繰り返す。また、ステップＳ９１２において、反射量が減少しない場合（ステップＳ９１２：Ｎｏ）は、これ以上切削しても反射量は減少しないこととして、そのまま一連の処理を終了する。
【０１０９】
ステップＳ９０９において、共振周波数の目標値の範囲で反射量の目標値を満足した部分がある場合（ステップＳ９０９：Ｎｏ）は、制御回路２３０は、切削器２２０を制御してタグアンテナ１０２の幅方向Ｗを切削する（ステップＳ９１３）。
【０１１０】
そして、制御回路２３０は、周波数特性測定器２１０を制御して、ステップＳ９１３において幅方向Ｗが切削されたタグアンテナ１０２の周波数特性の特性値を測定する（ステップＳ９１４）。
【０１１１】
制御回路２３０は、ステップＳ９１４において特性値として測定された、タグアンテナ１０２の反射量が目標の反射量以下となるタグアンテナ１０２の周波数範囲について減少したか否かを判断する（ステップＳ９１５）。
【０１１２】
ステップＳ９１５において、反射量が目標の反射量以下となるタグアンテナ１０２の周波数範囲が減少した場合（ステップＳ９１５：Ｙｅｓ）は、これ以上切削しても目標の反射量以下となる周波数範囲は増加しないこととして、そのまま一連の処理を終了する。
【０１１３】
ステップＳ９１５において、反射量が目標の反射量以下となるタグアンテナ１０２の周波数範囲が減少しなかった場合（ステップＳ９１５：Ｎｏ）は、つづいて、制御回路２３０は、反射量が目標の反射量以下となるタグアンテナ１０２の周波数範囲に変化がなかったか否かを判断する（ステップＳ９１６）。
【０１１４】
ステップＳ９１６において、反射量が目標の反射量以下となるタグアンテナ１０２の周波数範囲に変化がなかった場合（ステップＳ９１６：Ｙｅｓ）は、ステップＳ９１２に戻って処理を繰り返す。換言すれば、反射量が目標の反射量以下となるタグアンテナ１０２の周波数範囲に変化がなかったため、制御回路２３０は、目標の反射量以下となるタグアンテナ１０２の周波数範囲内でより反射量を低めるように処理を繰り返すこととなる。
【０１１５】
ステップＳ９１６において、反射量が目標の反射量以下となるタグアンテナ１０２の周波数範囲に変化があった場合（ステップＳ９１６：Ｎｏ）は、すなわち、反射量が目標の反射量以下となるタグアンテナ１０２の周波数範囲が増加しているため、ステップＳ９１３へ戻って処理を繰り返す。換言すれば、目標の反射量以下となるタグアンテナ１０２の周波数範囲を広げるために処理を繰り返すこととなる。
【０１１６】
なお、本発明の各構成要素における処理と、本発明の実施形態２の各処理または各機能とを関連付けて説明すると、図９のフローチャートで説明したステップＳ９０２における入力部の処理によって、本発明にかかる入力手段の処理が実行される。また、ステップＳ９０５、ステップＳ９０８、ステップＳ９０９、ステップＳ９１２、ステップＳ９１５およびステップＳ９１６における制御回路２３０の処理によって、本発明にかかる判定手段の処理が実行される。また、ステップＳ９０６、ステップＳ９１０およびステップＳ９１３における制御回路２３０および切削器２２０の処理によって、本発明にかかる切削制御手段の処理が実行される。
【０１１７】
以上説明したように、本発明の実施形態２にかかる調整装置は、前述の実施形態１で示した感度ｐｅａｋ位置および通信感度の代わりに共振周波数および反射量を用いることによっても、実施形態１と同様にタグアンテナの周波数特性の最適化を図ることができる。
【図面の簡単な説明】
【０１１８】
【図１】本発明の実施形態１にかかる無線タグラベルの一例を示す平面図である。
【図２】本発明の実施形態１にかかる調整装置の概要を示す説明図である。
【図３】本発明の実施形態１にかかるタグアンテナの切削について示す説明図である。
【図４】本発明の実施形態１にかかるタグアンテナの長手方向Ｌの切削による周波数特性の変化の概要を示す説明図である。
【図５】本発明の実施形態１にかかるタグアンテナの幅方向Ｗの切削による周波数特性の変化の概要を示す説明図である。
【図６】本発明の実施形態１にかかる調整装置の処理の内容を示すフローチャートである。
【図７】本発明の実施形態２にかかるタグアンテナの長手方向Ｌの切削による周波数特性の変化の概要を示す説明図である。
【図８】本発明の実施形態２にかかるタグアンテナの幅方向Ｗの切削による周波数特性の変化の概要を示す説明図である。
【図９】本発明の実施形態２にかかる調整装置の処理の内容を示すフローチャートである。
【符号の説明】
【０１１９】
Ｔ  無線タグラベル
１０１  ＩＣ回路部
１０２  タグアンテナ
１１０  物品
２００  調整装置
２１０  周波数特性測定器
２１１  装置アンテナ
２２０  切削器
２２１  切削刃
２２２  Ｌ調整回転軸
２２３  Ｗ調整回転軸
２３０  制御回路
【図１】
2010086166.tif 000003
【図２】
2010086166.tif 000004
【図３】
2010086166.tif 000005
【図４】
2010086166.tif 000006
【図５】
2010086166.tif 000007
【図６】
2010086166.tif 000008
【図７】
2010086166.tif 000009
【図８】
2010086166.tif 000010
【図９】
2010086166.tif 000011